【手続補正書】
【提出日】平成27年5月15日(2015.5.15)
【手続補正１】
【補正対象書類名】特許請求の範囲
【補正対象項目名】全文
【補正方法】変更
【補正の内容】
【特許請求の範囲】
【請求項１】
画像データを変調して送信器から受信器へ伝送するＯＦＤＭ信号送受信システムであって、
前記送信器は、
前記画像データを符号化パラメータに基づき情報圧縮したビットストリームを生成するエンコーダと、
前記ビットストリームに誤り訂正符号化を行った上で、該ビットストリームを複数のデータ部分に分割して、該分割により得られたそれぞれのデータ部分で異なるキャリアを、それぞれのキャリア変調方式により変調することで、ＯＦＤＭ変調信号を生成するＯＦＤＭ変調器と、
受信状態情報に基づいて、前記キャリア変調方式を決定し、決定されたキャリア変調方式を示す情報を出力するキャリア制御器と、
前記受信状態情報に含まれる画質評価結果から、前記符号化パラメータを決定し、決定した符号化パラメータを示す情報を出力するエンコード制御器とを備え、
前記受信器は、
前記送信器から受信した前記ＯＦＤＭ信号を復調し、ビットストリームを生成するとともに、前記ＯＦＤＭ信号に対して誤り訂正処理を行い、該誤り訂正処理によって検出された誤り位置を示す誤り検出情報を出力するＯＦＤＭ復調器と、
前記誤り検出情報から、前記画像データの送信に利用可能なキャリアの各々におけるエラーの発生状況を表すデータを生成し出力する伝送路評価器と、
前記ＯＦＤＭ復調器からの前記ビットストリームに基づいて画質を評価し、画質評価結果を表すデータを出力する画質評価器と、
前記伝送路評価器からの前記エラーの発生状況を表すデータと前記画質評価器からの前記画質評価結果を表すデータとを含む前記受信状態情報を生成し、前記送信器へ出力する受信状態評価器とを備え、
前記キャリア制御器は、前記利用可能なキャリアの各々についての、前記エラーの発生状況を表すデータがエラーの頻発を示す場合あるいは前記画質評価結果が基準値よりも低いときは、前記キャリア変調方式を変調多値数がより少ないキャリア変調方式に変更する
ことを特徴とするＯＦＤＭ信号送受信システム。
【請求項２】
前記キャリア制御器は、前記画像データの送信のために利用可能なキャリアの各々に対して決定したキャリア変調方式から、前記画像データの送信のために利用可能な全キャリアにより１シンボルで伝送可能な情報量を算出し、
前記エンコード制御器は、前記画質評価結果が所定の基準値以上のときは、前記キャリア制御器で算出された、前記１シンボルで伝送可能な情報量に基づき、前記符号化パラメータを決定し、
前記エンコード制御器は、前記画質評価結果が前記基準値よりも低いときは、前記符号化パラメータをより大きな値にする
ことを特徴とする請求項１に記載のＯＦＤＭ信号送受信システム。
【請求項３】
前記キャリア制御器は、前記エラーの発生状況を表すデータにより、エラーの発生状況が不安定であることが示されるキャリアを使用しないよう決定することを特徴とする請求項１又は２に記載のＯＦＤＭ信号送受信システム。
【請求項４】
前記ＯＦＤＭ復調器は、前記誤り検出情報を所定の期間毎のタイミングでのみ出力することを特徴とする請求項１から３のいずれか１項に記載のＯＦＤＭ信号送受信システム。
【請求項５】
前記伝送路評価器は、前記エラーの発生状況を記録し、周期的に発生するエラーを検出してエラー発生の周期性を示す情報を生成することを特徴とする請求項１から４のいずれか１項に記載のＯＦＤＭ信号送受信システム。
【請求項６】
前記伝送路評価器は、前記エラーの発生状況を所定の時間毎に記録し、該所定の時間ごとの記録結果から、前記周期性を示す情報を生成することを特徴とする請求項５に記載のＯＦＤＭ信号送受信システム。
【請求項７】
前記受信状態評価器は、前記エラーの発生状況を表すデータと前記画質評価結果を表すデータに基づき、前記キャリア変調方式又は前記符号化パラメータの変更を要求する情報を生成して、出力する請求項１から６のいずれか１項に記載のＯＦＤＭ信号送受信システム。
【請求項８】
前記受信状態評価器は、前記送信器から前記受信器への前記画像データの伝送のために用いられる伝送路とは別の伝送路で、前記受信状態情報を前記送信器へ伝送するための無線信号送信器を備えることを特徴とする請求項１から７のいずれか１項に記載のＯＦＤＭ信号送受信システム。
【手続補正２】
【補正対象書類名】明細書
【補正対象項目名】００１０
【補正方法】変更
【補正の内容】
【００１０】
本発明のＯＦＤＭ信号送受信システムは、
画像データを変調して送信器から受信器へ伝送するＯＦＤＭ信号送受信システムであって、
前記送信器は、
前記画像データを符号化パラメータに基づき情報圧縮したビットストリームを生成するエンコーダと、
前記ビットストリームに誤り訂正符号化を行った上で、該ビットストリームを複数のデータ部分に分割して、該分割により得られたそれぞれのデータ部分で異なるキャリアを、それぞれのキャリア変調方式により変調することで、ＯＦＤＭ変調信号を生成するＯＦＤＭ変調器と、
受信状態情報に基づいて、前記キャリア変調方式を決定し、決定されたキャリア変調方式を示す情報を出力するキャリア制御器と、
前記受信状態情報に含まれる画質評価結果から、前記符号化パラメータを決定し、決定した符号化パラメータを示す情報を出力するエンコード制御器とを備え、
前記受信器は、
前記送信器から受信した前記ＯＦＤＭ信号を復調し、ビットストリームを生成するとともに、前記ＯＦＤＭ信号に対して誤り訂正処理を行い、該誤り訂正処理によって検出された誤り位置を示す誤り検出情報を出力するＯＦＤＭ復調器と、
前記誤り検出情報から、前記画像データの送信に利用可能なキャリアの各々におけるエラーの発生状況を表すデータを生成し出力する伝送路評価器と、
前記ＯＦＤＭ復調器からの前記ビットストリームに基づいて画質を評価し、画質評価結果を表すデータを出力する画質評価器と、
前記伝送路評価器からの前記エラーの発生状況を表すデータと前記画質評価器からの前記画質評価結果を表すデータとを含む前記受信状態情報を生成し、前記送信器へ出力する受信状態評価器とを備え、
前記キャリア制御器は、前記利用可能なキャリアの各々についての、前記エラーの発生状況を表すデータがエラーの頻発を示す場合あるいは前記画質評価結果が基準値よりも低いときは、前記キャリア変調方式を変調多値数がより少ないキャリア変調方式に変更する
ことを特徴とする。
【手続補正３】
【補正対象書類名】明細書
【補正対象項目名】００２９
【補正方法】変更
【補正の内容】
【００２９】
ＯＦＤＭ復調器２０２は、送信器１０１から伝送されたＯＦＤＭ信号Ｓｍを受信し、そのＯＦＤＭ信号Ｓｍに対してＯＦＤＭ復調を行い、復調信号に誤り訂正復号を施すことでビットストリームＳｒｂを生成し、画質評価器２２１及び表示器３０１へ出力する。この際、送信器１０１がキャリア割当情報Ｓｃａの送信に使用したキャリアの復調を最初に行い、復調されたキャリア割当情報Ｓｃａに従い、他のキャリアの復調を行う。
【手続補正４】
【補正対象書類名】明細書
【補正対象項目名】００８９
【補正方法】変更
【補正の内容】
【００８９】
フレーム間特徴量算出器２２３ｂは、デコーダ２２２からの各フレームの画像データＳｉｄを含めた時間的に前後する２フレーム以上の画像データ(各フレームの画像データＳｉｄと、その前及び／又は後の１以上のフレームの画像データ)Ｓｉｄに基づき、複数フレームでの画像特徴量であるフレーム間特徴量Ｓｔｉを算出する。各フレーム画像データＳｉｄとその後のフレームを使う場合には、デコーダ２２２から、「後のフレーム」のデータが出力された後に、当該フレームの特徴量の算出を行う。そのためのフレームバッファ（図示しない）がフレーム間特徴量算出器２２３ｂに設けられている。
【手続補正５】
【補正対象書類名】明細書
【補正対象項目名】０１２０
【補正方法】変更
【補正の内容】
【０１２０】
エラー発生周期予測器２１４は、上記の記録から、各キャリアについてエラーの周期性の有無を判定し、エラーの発生に周期性がある場合に、その周期性を示す情報（周期性情報）Ｓｃｅを生成して出力する。この周期性情報には、周期の長さを表す情報と、基準となる時刻（例えば現在時刻）から、次にエラーが発生すると予想されるタイミングまでの時間差を表す情報とが含まれる。
出力された周期性情報Ｓｃｅは、受信状態評価器２３１により、受信状態情報Ｓｒｓの一部として送信される。
なお、受信状態情報Ｓｒｓに周期性情報Ｓｃｅを送信器１０１に送信するか否かを、設定により選択可能としても良い。
【手続補正６】
【補正対象書類名】明細書
【補正対象項目名】０１３２
【補正方法】変更
【補正の内容】
【０１３２】
また、画質フラグＳｒが「０」であれば、伝送効率の向上のために、キャリア制御器１１４において、新たなキャリア割当情報Ｓｃａの生成（キャリア割当情報Ｓｃａの再設定）を行い、画質フラグＳｒの値が「１」であれば、画質の向上が望まれるため、エンコード制御器１１５において、新たな符号化パラメータＳｑｓの算出（再計算）を行うことしても良い。
この場合、キャリア制御器１１４及びエンコード制御器１１５は、画質フラグＳｒがどちらかの値を有するときにのみ、キャリア割当情報Ｓｃａの再設定又は符号化パラメータＳｑｓの再計算を行えば良く、エラー状況が変化してから、該変化に対応するための処理を行うまでの時間を短くすることができる。